(57)【要約】【課題】洗濯効果を高めると同時に、衣類の絡まりを防止できるべく洗濯ボールの構造を提供する。【解決手段】二つの半円を一体にすることにより一つの球状とした本体１、或いはその他の形状とした本体１０，１１，１２の表面に複数の植毛孔２を設け、各植毛孔２にブラシ３の束を植毛した構成して、洗濯機に衣服と共に入れて洗浄することにより衣服の汚れを満遍なく且つ強力に洗浄すると同時に、衣類の絡まりを防止する。【選択図】  図２
0003105697.tif 000002
【実用新案登録請求の範囲】
【請求項１】
本体を有し、該本体表面に複数の植毛孔を形成し、各植毛孔に複数本のブラシを植入して前記本体上に複数束のブラシを形成したことを特徴とする洗濯ボールの構造。
【請求項２】
前記本体は、半円状本体の二つを一体として球状本体に成形したことを特徴とする請求項１に記載の洗濯ボールの構造。
【請求項３】
前記本体は、半円状を呈していることを特徴とする請求項１に記載の洗濯ボールの構造。
【請求項４】
前記本体は、一体成形によるものであり、且つ球状を呈していることを特徴とする請求項１に記載の洗濯ボールの構造。
【請求項５】
前記本体は略棒状、或いは立方体、或いはその他の幾何学的形状を呈していることを特徴とする請求項１に記載の洗濯ボールの構造。
【請求項６】
前記本体に植毛されたブラシは、束状ではなく、該本体上に一本ずつ独立して設けられていることを特徴とする請求項１記載の洗濯ボールの構造。
【請求項７】
前記本体表面には一体成形により、且つ間隔を空けて設けられた複数の凸片を有し、前記ブラシが傾斜した際に前記凸片によりブラシの下半分を支え、該ブラシが過度に湾曲して変形するのを防止することを特徴とする請求項１に記載の洗濯ボールの構造。
【請求項８】
前記本体表面には一体成形により複数本の錐体が設けられており、該本体と錐体はやや柔らかく且つ弾力を有するプラスティック材質により成形し、前記錐体により衣服をブラッシングして汚れを落とすことを特徴とする請求項１に記載の洗濯ボールの構造。
【考案の詳細な説明】
【技術分野】
【０００１】
本考案は、洗濯ボールの構造に係り、特に洗濯機による衣服の洗浄を補助するべく、ボール上に植毛されたブラシによりブラッシングして衣服の汚れを落とすと同時に衣服の絡まりを防止し、洗濯機中の衣服を満遍なく洗浄する洗濯ボールの構造に関する。
【背景技術】
【０００２】
現在では衣服などを洗うのに、労力を必要としないことで非常に便利な洗濯機が普及している。しかしながら、この洗濯機では水流に任せて衣服を洗浄するのみで、汚れを擦り落とす力には限りがある。特に、汚れがひどいときには、やはり手洗いを必要とする他、洗濯機の回転に任せて衣服を洗浄することで、衣服が絡まるといった不具合もある。
【０００３】
そのため、市場には様々な洗濯機用の洗浄補助品が提供されており、例えば表面に凹凸を有する洗濯ボールが提案され、これにより衣服を擦る効果が得られている。
【考案の開示】
【考案が解決しようとする課題】
【０００４】
上述のような従来提案されている洗濯ボールでは、以下の欠点がある。
【０００５】
それは、擦ることだけではまだ衣類の汚れを落とす力が足りないということである。また、洗濯機の中で洗浄する際に衣服が絡まりやすい問題においては解決策が提供されていない。
【０００６】
本考案は、上述の欠点に鑑み、更に洗濯効果を高め、しかも衣類の絡まりを防止した洗濯ボールの構造を提供することを目的とする。
【課題を解決するための手段】
【０００７】
前記目的を達成するため本考案による洗濯ボールの構造は、本体の表面に複数の植毛孔を設け、各該植毛孔にブラシの束を植毛したことを特徴とし、洗濯機に衣服と共に入れて洗浄することにより衣服の汚れを満遍なく強力に洗浄すると共に、衣類の絡まりを防止した。
【考案の効果】
【０００８】
本考案によれば、洗濯機の中で使用すると、衣服が水流に任せて汚れが洗浄される効果に加え、ブラッシングにより汚れを落とす効果が提供され、手でブラシを持って衣服を擦ったような強力な汚れ落としができると同時に、該ブラシには一定の長さを有することから水流を滞らせることなく、またボール自身が回転及び移動することで新たな水流を作り、衣服が一定の位置に留まることなく、満遍なく洗われ、且つ衣服が絡み合う問題等も解決されという効果を有する。
【考案を実施するための最良の形態】
【０００９】
以下、図面を参照して本考案の実施例を説明する。
【実施例】
【００１０】
図１から図３に示すように、本考案一実施例の洗濯ボールの構造は、半円状を呈した本体１を有し、その表面上には複数の植毛孔２が形成されている。該植毛孔２には、それぞれ複数のブラシ３が植入されており、前記本体１の表面上に複数の束のブラシが設けられた状態となっている。上述の複数のブラシ３が設けられた二つの半円状の本体１と１とを一体として、一つの球状の洗濯ボールが形成される。また、二つの本体１を一体とする際には、接着剤等により粘着する方式、或いは高周波加工により結合させる、若しくは穿孔とボルト或いはピンなどにより固定する方式を採るものとするが、上述に限られるものではない。
【００１１】
図４に示す実施例では本体１は半円状を呈しており、表面上に設けられたブラシ３を具有する。さらに、図5に示す実施例の洗濯ボールは、本体１０が一体成形された球状であり、表面上に植毛孔及びブラシ３が上述と同様に設けられている。また、図６に示す実施例の洗濯ボールは、本体１１が略棒状を呈しており、表面上には上述同様に植毛孔及びブラシ３が設けられている。更にまた、図７に示す実施例の洗濯ボールは、本体１２を多角形としたものであり、上述と同様にして植毛孔及びブラシ３が設けられている。
【００１２】
即ち、本考案における本体１は一つの形状に限られるものではない。また、ブラシ３においては束とは限らず、一本ずつ本体に植毛される形態であっもよく、或いはその他の形態としても上述同様の効果が得られるものであれば本考案の範囲内である。
【００１３】
図８から図１０に示す実施例のような洗濯ボールにおいては、本体１上にて適当な間隔を空けて複数且つ本体１と一体成形で設けられる凸片４を有し、前記本体１には上述同様に植毛孔２が設けられてブラシを植毛する個所が提供されている。そして、使用時、即ち洗濯機の中に入れて水中で転がる際には、ブラシ３は衣服をブラッシングする際に傾斜状を呈し、前記凸片４がちょうどブラシの下半分を支える効果を提供し、ブラシ３が傾斜し過ぎるのを防止してブラシ３が折れ曲がって変形してしまうのを防止している。
【００１４】
図１１，１２に示す実施例のように、本体表面には直接一体成形で複数の錐体５を設けてあり、本体１及び錐体５の材質はやや柔らかめ且つ弾性を有するプラスティック材質によるものとし、こうすることで錐体５及びその尖った角で効果的に衣服の汚れを擦り落とすことができる。
【図面の簡単な説明】
【００１５】
【図１】本考案一実施例における立体分解図である。
【図２】本考案一実施例における組み立て後の立体図である。
【図３】本考案一実施例における使用状態を示す図である。
【図４】本考案における他の実施例であり、半円状を呈した本体を示す説明図である。
【図５】本考案におけるさらに他の実施例であり、一体成形された球状である本体を示す説明図である。
【図６】本考案における他の実施例であり、略棒状を呈した本体を示す説明図である。
【図７】本考案における他の実施例であり、多角形を呈した本体を示す説明図である。
【図８】本考案における他の実施例であり、植毛前の立体分解図である。
【図９】本考案における他の実施例であり、植毛後及び組み立て後の様子を示す説明図である。
【図１０】図９における使用状態を示す図であり、凸片がブラシを支える様子を示す説明図である。
【図１１】本考案における他の実施例であり、ブラシではなく錐体を設けた様子を示す立体分解図である。
【図１２】本考案における他の実施例であり、ブラシではなく錐体を設けた様子を示す組み立て後の様子を示す説明図である。
【符号の説明】
【００１６】
１，   １０，１１，１２  本体
２  植毛孔
３  ブラシ
４  凸片
５  錐体
代理人  弁理士    伊藤  進
【図１】
0003105697.tif 000003
【図２】
0003105697.tif 000004
【図３】
0003105697.tif 000005
【図４】
0003105697.tif 000006
【図５】
0003105697.tif 000007
【図６】
0003105697.tif 000008
【図７】
0003105697.tif 000009
【図８】
0003105697.tif 000010
【図９】
0003105697.tif 000011
【図１０】
0003105697.tif 000012
【図１１】
0003105697.tif 000013
【図１２】
0003105697.tif 000014